(57)【要約】【課題】本発明は、低コストで、装置を小型化し、設置面積を小さくすることができる画像読取装置を提供することを目的とする。【解決手段】本発明に係る画像読取装置の代表的な構成は、原稿を載置する原稿台ガラス１と、原稿台ガラス１の原稿と反対側を移動して原稿の画像を読み取る第１の光学読取部２と、を有する平置き読取部６と、読み取り位置に停止した第１の光学読取部２へ原稿を搬送する原稿送り読取部７と、を有し、原稿台ガラス１上に置かれた原稿の画像を、原稿台ガラス１の原稿と反対側を第１の光学読取部２が移動することで読み取る第１の読み取りモードと、原稿を搬送しながら読み取り位置に停止した第１の光学読取部２で原稿の画像を読み取る第２の読み取りモードと、を有する画像読取装置であって、第２の読み取りモードの際に、平置き読取部６を非水平に固定する固定スタンド８を有することを特徴とする。【選択図】図１
2008066905.tif 000002
【特許請求の範囲】
【請求項１】
原稿を載置する原稿台ガラスと、前記原稿台ガラスに載置された原稿の画像を読み取るために前記原稿台ガラスの前記原稿と反対側を移動する第１の原稿読取ユニットと、を有する平置き読取部と、
読み取り位置に停止した前記第１の原稿読取ユニットへ原稿を搬送する原稿送り部と、を有し、
前記原稿台ガラス上に置かれた原稿の画像を、前記原稿台ガラスの原稿と反対側を前記第１の原稿読取ユニットが移動することで読み取る第１の読み取りモードと、
原稿を搬送しながら前記読み取り位置に停止した前記第１の原稿読取ユニットで原稿の画像を読み取る第２の読み取りモードと、を有する画像読取装置であって、
前記第２の読み取りモードの際に、前記平置き読取部を非水平に固定する固定スタンドを有することを特徴とする画像読取装置。
【請求項２】
前記固定スタンドは、前記第１の読み取りモードの際に、折り畳んで、前記平置き読取部を水平に維持することを特徴とした請求項１に記載の画像読取装置。
【請求項３】
前記平置き読取部が水平、非水平のどちらに固定されているのかを検知する検知部を有することを特徴とする請求項１又は請求項２に記載の画像読取装置。
【請求項４】
前記第１の原稿読取ユニットに略対向して配置され、前記第２の読み取りモードの際に、原稿の第１の原稿読取ユニットに読み取られる面の裏面の画像を読み取る第２の原稿読取ユニットを有する請求項１乃至請求項３のいずれか１項に記載の画像読取装置。
【発明の詳細な説明】
【技術分野】
【０００１】
本発明は、イメージスキャナ、ファクシミリ、複写機等の画像を読み取る機能を有する画像読取装置に関する。
【背景技術】
【０００２】
従来よりイメージスキャナ、ファクシミリ、複写機等の画像を読み取る機能を有する装置について様々な方式が考案されてきている。
【０００３】
図６、図７は従来の画像読取装置の主要断面図である。図６のイメージスキャナ（第１の従来例）は、第１の読み取りモード、第２の読み取りモードを有する。
【０００４】
第１の読み取りモードでは、第１の光学読取部１０２が位置Ｘ１から位置Ｘ２まで不図示の駆動手段により駆動され、原稿台ガラス１０１上に置かれた原稿Ｐ１０１上の画像を読み取る。
【０００５】
第２の読み取りモードでは、原稿積載トレイ１０３上に積載されたシート状の原稿Ｐ１０２を排出トレイ１０４まで搬送する際に、停止している第１の光学読取部１０２と搬送部に固定された第２の光学読取部１２０とで原稿Ｐ１０２の表裏の画像を読み取る。
【０００６】
具体的に、第２の読み取りモードでは、複数枚積載された原稿Ｐ１０２のうち一番下の原稿１枚は、分離ローラ１０５と分離パッド１０６により分離される。分離された原稿は、第１の搬送ローラ対１０７により搬送され、第２の光学読取部１２０に原稿の裏面の画像を読み取られる。更に位置Ｘ１に停止している光学読取部１０２により原稿の表面の画像を読み取られる。その後原稿は第二の搬送ローラ１０８により排出トレイ１０４に排出される。更に分離ローラ１０５と分離パッド１０６により次の原稿が同様に搬送され原稿の表と裏の画像を読み取られる。
【０００７】
図７のイメージスキャナ（第２の従来例）は、図６のイメージスキャナとほぼ同等の構成と機能を有し、装置の全体の高さを低くして装置を小型化するために、原稿積載トレイ１０３の角度を水平に近い状態に変更したものである。図７のイメージスキャナも、第１の読み取りモード、第２の読み取りモードを有する。
【０００８】
この構成により、図６のイメージスキャナに比較して、原稿の束が自重により分離ローラ１０５と分離パッド１０６の間に入り込む力がなくなるため、紙の分離搬送性能が著しく低下する。従って、積極的に原稿束を分離ローラ１０５と分離パッド１０６の間に押し入れる方向に回転する通常補助搬送ローラ１０９を設けている。
【０００９】
このような従来の画像読取装置は、本や通常原稿台ガラスより大きな新聞等の画像を取り込む際には第１の読み取りモードを使用し、シート状の原稿束などは一般的に自動で高速に処理できる第２の読み取りモードを使用でき大変便利である。
【００１０】
【特許文献１】特開２００２−２３６４０３号公報
【発明の開示】
【発明が解決しようとする課題】
【００１１】
しかしながら、上記従来の画像読取装置は、装置が大型化してしまい、設置する床、テーブル、机などの面積が多く必要となる。
【００１２】
また、積載トレイの紙を分離ローラや分離パッド部に当接させるために積載トレイの角度を斜めにするために装置高さが大きくなってしまう。また装置高さを小さくしようとすると図７の画像読取装置のようになり、補助搬送ローラとそれを駆動させる駆動機構が必要となり、コストがかかる。
【００１３】
そこで本発明は、低コストで、装置を小型化し、設置面積を小さくすることができる画像読取装置を提供することを目的とする。
【課題を解決するための手段】
【００１４】
上記課題を解決するために本発明に係る画像読取装置の代表的な構成は、請求項１に対応させて記載してください。。
【発明の効果】
【００１５】
本発明によれば、低コストで、装置を小型化し、設置面積を小さくすることができる。
【発明を実施するための最良の形態】
【００１６】
本発明に係る画像読取装置の第一実施形態について、図を用いて説明する。図１は第２の読み取りモードで画像を読み取る時のスキャナＡの側面図である。図２は排出トレイを収納した状態の画像読取装置の断面図である。
【００１７】
（画像読取装置）
本実施形態では、画像読取装置として、コンピュータ等に原稿画像を取り込むイメージスキャナＡについて説明する。図１に示すイメージスキャナＡは、第１の読み取りモードと、第２の読み取りモードを有する。
【００１８】
第１の読み取りモードでは、原稿台ガラス１上にセットされた原稿Ｐ１を原稿台ガラス１に沿って移動する第１の光学読取部（第１の原稿読取ユニット）２により原稿Ｐ１上の画像を読み取る。第２の読み取りモードでは、原稿積載トレイ３上に積載された原稿Ｐ２を排出トレイ４まで搬送する際に停止している第１の光学読取部２と搬送部に固定された第２の光学読取部（第２の原稿読取ユニット）５とで原稿Ｐ２の表裏面の画像を読み取る。
【００１９】
スキャナＡは、平置き読取部６（フラットベッドスキャナ部）、原稿送り部である原稿送り読取部７（ＡＤＦ部）、スタンド８、トレイ収納部９を有している。平置き読取部６は、第１の読み取りモードの時に使用し、原稿送り読取部７は、第２の読み取りモードの時に使用する。
【００２０】
スキャナＡは、第２の読み取りモードの際に、固定スタンドであるスタンド８及びトレイ収納部９により平置き読取部６（原稿台ガラス１）が斜め（非水平）になるような状態で保持される。
【００２１】
スキャナＡは、第１の読み取りモードの際に、スタンド８及びトレイ収納部９を折り畳んで、平置き読取部６を水平に維持する。
【００２２】
原稿送り読取部７は、原稿トレイ３、分離ローラ１０、分離パッド１１、第１の搬送ローラ１２、１３、第２の光学読取部５、第２の搬送ローラ対１４、１５、排出トレイ４を有している。
【００２３】
分離ローラ１０は、その表面がゴムなどの材質によるローラである。分離パッド１１は、ゴムなどの材質によるシートなどである。分離ローラ１０、分離パッド１１は互いに加圧されている。
【００２４】
分離ローラ１０は、不図示の駆動手段で回転駆動され、原稿積載トレイ３に積載された原稿束のうち分離ローラ１０に一番近い側の原稿Ｐ２を第２の光学読取部５へ搬送する。分離パッド１１は、分離ローラ１０で搬送される原稿以外の原稿を搬送されないように止める役割をする。
【００２５】
第１の搬送ローラ１２、１３は、分離ローラ１０のシート搬送方向下流側に配置されており、分離された１枚の原稿Ｐ２を第２の光学読取部側に搬送する。
【００２６】
第２の光学読取部５は、第１の搬送ローラ１２、１３のシート搬送方向下流側に配置されている。第２の光学読取部５は、第１の光学読取部２に略対向して配置され、第２の読み取りモードの際に、原稿Ｐ２の第１の光学読取部２に読み取られる面の裏面の画像を読み取る。
【００２７】
第２の光学読取部５は、ＬＥＤによる光源とセルフォックレンズ、ライン受光センサにより構成されるＣＩＳセンサを使用している。なお、ＣＩＳセンサに変えて、冷陰極管などの光源と数枚の光路折り返しミラー、結像レンズ、ＣＣＤラインセンサなどにより構成される縮小光学系を用いてもよい。
【００２８】
第２の搬送ローラ１４、１５は、第２の光学読取部５のシート搬送方向下流側に配置されており、原稿Ｐ２を排出トレイ４へ搬送する。
【００２９】
排出トレイ４は、先端部４ａと中間部４ｂの２つの部分から構成されている。先端部４ａと中間部４ｂは、図２に示すように、必要に応じてトレイ収納部９の中にスライドして収納できる。
【００３０】
平置き読取部６は、原稿台ガラス１、第１の光学読取部２を有している。
【００３１】
第１の光学読取部２は、原稿台ガラス１の下に配置されており、原稿台ガラス１に沿って不図示の駆動手段で位置Ｘ１から位置Ｘ２まで駆動される。
【００３２】
第１の光学読取部２は、第２の光学読取部５と同様に、ＬＥＤによる光源とセルフォックレンズ、ライン受光センサにより構成されるＣＩＳセンサを使用している。なお、ＣＩＳセンサに変えて、冷陰極管などの光源と数枚の光路折り返しミラーを原稿読取ユニットとして原稿台ガラス１の下方で原稿の画像を読み取るために移動するように設け、原稿読取ユニットからの反射光を結像レンズを介して、ＣＣＤラインセンサなどに入射させて、ＣＣＤラインセンサなどで原稿の画像を読み取るような縮小光学系を用いてもよい。
【００３３】
図３はスタンド８及びトレイ収納部９を折り畳んで平置き読取部６（原稿台ガラス１）が水平になるように設置した状態のスキャナＡの断面図である。図３に示すように、平置き状態で、第１の読み取りモードで第１の光学読取部２が位置Ｘ１から位置Ｘ２まで移動し、原稿台ガラス１上に置かれた原稿Ｐ１の画像を読み取る。
【００３４】
図４は原稿送り読取部７を回動して開けた状態のスキャナＡの断面図である。図４に示すように、原稿送り読取部７を不図示のヒンジ部材により回動して開けた状態で、原稿台ガラス１の上に原稿Ｐ１を置いてセットする。
【００３５】
平置き読取部６は、内部に平置き読取部６が水平、非水平のどちらに固定されているのかを検知する検知部である傾き検知センサ１６を有している。すなわち、検知センサ１６は、斜め置き状態（図１、図２の状態）と水平置き状態（図３、図４の状態）を検知する。
【００３６】
図５は検知センサ１６の拡大図である。図５に示すように、傾き検知センサ１６は、自重で回転する傾き検知フラグ１６ａと、その回転を検知する光学式センサ１６ｂとを有している。
【００３７】
（画像読取装置の動作）
次に、イメージスキャナＡの画像読取動作について説明する。スキャナＡは、ＰＣに接続されており、ＰＣとそれにインストールされているスキャナコントロールソフトによりスキャン動作等のコントロールがなされる。
【００３８】
（第２の読み取りモード）
プリンタからプリントアウトした複数枚からなる原稿や本や雑誌のページを切り取ってシート状にした原稿等をスキャンする場合には、使用者は通常は第２の読み取りモードを選択する。第２の読み取りモードを選択する際には、使用者は、スタンド８及びトレイ収納部９を引き出して図１に示すように平置き読取部６を斜め置き状態にする。スタンド８はトレイ収納部９に回動自在に設けられている。平置き読取部６を斜め置き状態となるようにスタンド８が平置き読取部６を保持する。また、本実施形態では、トレイ収納部９の上面に形成されたストッパ部によって平置き読取部６の先端（図１、図３の左端）が係止されることで平置き読取部６が斜め置き状態で保持される（図１、図２参照）。
【００３９】
この時、図５（ａ）に示すように、フラグ１６ａは、自重で斜め置き状態の位置に回動し、センサ１６ｂの光を遮断してセンサ１６ｂをＯＦＦする。
【００４０】
使用者は原稿Ｐ２を原稿積載トレイ３に乗せ、ＰＣを操作して画像読み取り開始を行う。読み取りが開始されると、ＰＣはセンサ１６ｂのＯＦＦ信号を受けて、第２の読み取りモードで読み取りを開始する。
【００４１】
そして、ＰＣは分離ローラ１０を駆動し始める。分離ローラ１０、分離パッド１１により、原稿積載トレイ３に積載された原稿Ｐ１の一番下側にある原稿１枚が第１の搬送ローラ側に搬送さる。搬送された原稿Ｐ１は、第２の光学読取部５を通過する際に片面（裏面）の画像を読み取られる。
【００４２】
次に、原稿Ｐ１は、位置Ｘ１に停止している第１の光学読取部２を通過する際に、反対側の面（表面）の画像を読み取られる。第１の光学読取部２を通過した原稿Ｐ１は、第２の搬送ローラ対１４、１５により排出トレイ４へ搬送される。
【００４３】
同様の動作を繰り返して、原稿積載トレイ３に積載した原稿が全て読み取られた後、画像読み取り動作を終了する。
【００４４】
使用者の机が狭い等、排出トレイ４を図１の状態にしたくない場合には、図２のように排出トレイ４をトレイ収納部９内に押し込んで使用することで、使用面積を大幅に削減できる。
【００４５】
このようにして第２の読み取りモードを使用する際に、スキャナ自体を斜め置き状態にできるため、装置の使用面積を大幅に削減できる。また、スキャナを使用しないで収納する時には、図２のように排出トレイ４をトレイ収納部９内に押し込んだ状態にすることにより、水平置きにした時に比較して収納スペースを大幅に小さくできる。
【００４６】
（第１の読み取りモード）
一方、本や雑誌などの厚手原稿、または新聞などの原稿台ガラスより大きな原稿、またプリント写真などのローラでダメージを与えたくない原稿等をスキャンする場合には通常第１の読み取りモードを選択する。
【００４７】
第２の読み取りモードを選択する際には、使用者は、スタンド８及びトレイ収納部９を折り畳んで図３に示すような水平置き状態にする。
【００４８】
この時、図５（ｂ）に示すように、フラグ１６ａは、自重で水平置き状態の位置に回動し、センサ１６ｂの光を遮断せずセンサ１６ｂをＯＮする。
【００４９】
使用者は原稿Ｐ１を原稿台ガラス１に乗せ、ＰＣを操作して画像読み取り開始を行う。読み取りが開始されると、ＰＣはセンサ１６ｂのＯＮ信号を受けて、第１の読み取りモードで読み取りを開始する。
【００５０】
そして、ＰＣは、分離ローラ１０、第１搬送ローラ対１２、１３及び第２搬送ローラ対１４、１５の駆動はおこなわず、平置き読取部６の第１の光学読取部２を不図示の駆動手段により位置Ｘ１から位置Ｘ２まで駆動し、第１の光学読取部２により原稿台ガラス１上の原稿Ｐ１の画像を読み取る。
【００５１】
（効果）
上述の如く構成したことにより、図６のスキャナ（第１の従来例）に比較して高さ方向のサイズを大幅に小さくできる。
【００５２】
また、図７のスキャナ（第２の従来例）に比較してサイズ的には同じではあるが、補助搬送ローラ１０９とその駆動手段が不要となるために、コストをおさえることができる。
【００５３】
また、長い間使用しないでしまっておく際には、図３のようにスタンド部６を折り畳み本棚などにたてかけるなどの収納形態がとれるため、収納時には更なる小型化を図ることができる。
【図面の簡単な説明】
【００５４】
【図１】本実施形態に係る画像読取装置の主断面図である。
【図２】排出トレイを収納した状態の画像読取装置の断面図である。
【図３】平置き状態の画像読取装置の断面図である。
【図４】原稿セットを示す図である。
【図５】検知センサの拡大図である。
【図６】従来の画像読取装置の主要断面図である。
【図７】従来の画像読取装置の主要断面図である。
【符号の説明】
【００５５】
Ａ    …イメージスキャナ
Ｐ１、Ｐ２  …原稿
Ｘ１、Ｘ２  …位置
１    …原稿台ガラス
２    …第１の光学読取部
３    …原稿積載トレイ
４    …排出トレイ
４ａ  …先端部
４ｂ  …中間部
５    …第２の光学読取部
６    …平置き読取部
７    …原稿送り読取部
８    …スタンド
９    …トレイ収納部
１０  …分離ローラ
１１  …分離パッド
１２  …第１の搬送ローラ
１２０ …第２の光学読取部
１３  …第１の搬送ローラ
１４  …第２の搬送ローラ
１５  …第２の搬送ローラ
１６  …検知センサ
１６ａ …傾き検知フラグ
１６ｂ …光学式センサ
【図１】
2008066905.tif 000003
【図２】
2008066905.tif 000004
【図３】
2008066905.tif 000005
【図４】
2008066905.tif 000006
【図５】
2008066905.tif 000007
【図６】
2008066905.tif 000008
【図７】
2008066905.tif 000009